(57)【要約】      （修正有）【課題】採取データの信頼性が高く、採取作業の効率を高める患者データ採取管理システム及び方法を提供すること。【解決手段】複数の測定項目の少なくとも１つ以上を指定する第１の指示手段Ｓ２６と、前記確認した該患者に装着され、前記指定した測定実施項目の測定手段から測定データを送受信して一時保持するデータ取得手段Ｓ２７と、この一時保持された前記測定データが、予め設定した基準範囲内にあることを判定する測定データ判定手段Ｓ２８と、この判定結果と前記測定データとを共に表示するデータ判定表示手段Ｓ２９と、前記データ採取者が、前記データ判定表示手段Ｓ２９の表示内容を確認し、測定データ判定手段Ｓ３０で妥当と判断した前記測定データを、当該患者の以前の測定データが記録されるデータ蓄積サーバーに転送・記録を指示する第２の指示手段Ｓ３１とから成ることを特徴とする患者データ採取管理システム。【選択図】  図２
2004351063.tif 000002
【特許請求の範囲】
【請求項１】
バイタルデータの測定を担当するデータ採取者を確認する第１の確認手段と、
前記測定の対象となる患者を確認する第２の確認手段と、
予め設定した複数のバイタルデータ測定項目の少なくとも１つ以上を指定する第１の指示手段と、
前記第２の確認手段により確認した前記患者に装着され、前記第１の指示手段により指定した測定実施項目を測定する測定手段と、
この測定手段から得られた測定データを読み込み、一時保持するデータ取得手段と、
このデータ取得手段に一時保持された前記測定データが、基準範囲内にあるか否かを判定する測定データ判定手段と、
この測定データ判定手段の判定結果を前記測定データと共に表示するデータ判定表示手段と、
前記データ判定表示手段により表示された前記測定データの記録を指示した場合に、前記患者の以前の測定データが記録されるデータ記憶装置を有するデータ蓄積サーバー、前記測定データの転送・記録を指示する第２の指示手段並びにコードリーダ有するモバイルコンピュータによるデータ管理端末装置とを具備することを特徴とする患者データ採取管理システム。
【請求項２】
前記第１および第２の確認手段は、前記コードリーダにより、データ採取者または患者に装着されているＩＤコードを読取り、前記データ蓄積サーバーに記録されたデータ採取者リストまたは患者リストに照会して確認するものであることを特徴とする請求項１記載の患者データ採取管理システム。
【請求項３】
前記予め設定した複数のバイタルデータ測定項目には、体温、最高血圧、最低血圧、脈拍数、呼吸数の少なくとも１つが含まれ、バイタルデータ測定項目は前記データ管理端末装置の記憶手段に設定されることを特徴とする請求項１記載の患者データ採取管理システム。
【請求項４】
前記予め設定した複数のバイタルデータ測定項目は、前記第２の確認手段により確認した前記患者の病状に基づき、前記データ記憶サーバーに患者毎に測定項目が設定され、これを前記データ管理端末装置が読み出して設定されることを特徴とする請求項１記載の患者データ採取管理システム。
【請求項５】
前記予め設定した基準範囲は、患者の如何を問わず医学的見地より正常と判断する値の範囲が設定されることを特徴とする請求項３記載の患者データ採取管理システム。
【請求項６】
前記予め設定した基準範囲は、前記第２の確認手段により確認した前記患者の病状に基づき、前記データ記憶サーバーに患者毎に基準範囲が設定され、これを前記データ管理端末装置が読み出して設定されることを特徴とする請求項４記載の患者データ採取管理システム。
【請求項７】
前記第２の指示手段において、記録が指示された場合に、前記患者の以前の測定データが記録されるデータ蓄積サーバーのデータ記憶装置に転送・記録するデータは、前記測定データ、データ測定日・時・分、およびデータ採取者の各データであることを特徴とする請求項１記載の患者データ採取管理システム。
【請求項８】
前記第２の指示手段において、前記測定データの記録を指示しない場合に、測定実施項目に対し、測定の再度実施、あるいは測定データ廃棄のいずれかを指示する第３の指示手段を設けたことを特徴とする請求項１記載の患者データ採取管理システム。
【請求項９】
前記第２の確認手段により確認した前記患者のデータ蓄積サーバーに記録された以前の測定データを、前記データ管理端末装置が時系列を遡って読み出し、横軸を経過時間とした既測定データのトレンドグラフ表示手段が前記データ管理端末装置に具備されたことを特徴とする請求項１記載の患者データ採取管理システム。
【請求項１０】
バイタルデータの測定を担当するデータ採取者を確認する採取者判定ステップと、
前記測定の対象となる患者を確認する患者判定ステップと、
予め設定した測定の項目を表示し、測定実施項目を指定する測定指示ステップと、
前記測定実施項目に関わる、前記患者に装着された測定機器から測定データを取り込むデータ取得ステップと、
この取り込まれた測定データを基準値と比較判定する第１の測定データ判定ステップと、
前記取り込まれた測定データと前記第１の測定データ判定ステップの結果を共に表示する測定データ表示ステップと、
この測定データ表示ステップにより表示された前記測定データを、「データ記録」あるいは「再測定またはデータ廃棄」のいずれかの処理を選択する第２の測定データ判定ステップと、
この第２の測定データ判定ステップで、「データ記録」が選択された場合に、前記測定データをＬＡＮ接続したデータ蓄積サーバーに転送し、前記患者の以前の測定データが記録されている記憶場所に追加記録する転送記録ステップと、
一方、前記第２の測定データ判定ステップで、「再測定またはデータ廃棄」が選択された場合に、「再測定」あるいは「データ廃棄」のいずれかの処理を選択する第３の測定データ判定ステップと、
この第３の測定データ判定ステップで、「再測定」が選択された場合に、前記測定指示ステップに戻り、測定実施項目を再指定する再測定指示ステップと、
一方、前記第３の測定データ判定ステップで、「データ廃棄」が選択された場合に、前記測定データを廃棄するデータ廃棄ステップとからなることを特徴とする患者データ採取管理方法。
【発明の詳細な説明】
【０００１】
【発明の属する技術分野】
本発明は、病院などにおける体温、血圧、心拍数などの患者のバイタルデータを採取・管理する患者データ採取管理システムに関する。
【０００２】
【従来の技術】
病院に入院している患者に対して、担当の医師が直接患者に対して行なう診断や治療の他に、医師の指示により、患者に対し、患者の体温、血圧、心拍数などの診断に必要なバイタルデータの測定採取や、注射、点滴、投薬などの治療処置の医療行為が看護師により行われる。
【０００３】
注射、点滴、投薬などの治療処置を行なう医療行為は、薬品名、投与量、処置方法などを誤ると、患者の生命にも関わる重大な医療過誤に繋がる場合もあり、看護師が行なう医療行為が処方と違わないか確認し、記録することが行われる（例えば、特許文献１参照。）。
【０００４】
一方、看護師が行なう、患者の体温、血圧、心拍数などの診断に必要なバイタルデータの測定採取は、前述の治療処置のように直接、患者の生命を脅かすことはないが、診断の質を向上するため、あるいは患者の病状の変化を知る上で、非常に重要である。したがって、重篤な患者に対しては、患者連続監視装置などにより個別にその患者のバイタルデータを自動的且つ連続的に測定することが行われる。しかし、通常、重篤患者以外の大多数の患者に対しては、看護師が病棟の各患者のベッドサイドを巡回し、測定機器を患者に装着し、バイタルデータを測定することが、一般的に行なわれている。
【０００５】
従来より行われているこのバイタルデータの測定は、患者を巡回して測定採取し、その結果の記録方法は、測定機器に表示されるデータを読取り、患者毎のデータシートあるいは診療カルテに記入するか、これらがデジタル処理される機器のテンキーなどを使用した入力作業により行っていた。
【０００６】
【特許文献１】
特開２００１−１５５０９８号公報。
【０００７】
【発明が解決しようとする課題】
上に述べた、病棟の患者に対する従来のバイタルデータの採取、記録では、データシートやカルテの取り出し、データ値の読み取りなど、データ採取者の手間を要するうえに、誤記入や誤入力などのミスを行なうことも多く、記録の信頼性が損なわれることがあった。
【０００８】
また、データの採取、記録が主な目的であるため、患者の過去のデータが記録されている患者個々のカルテなど嵩張る資料は持参せずにおこなわれて、患者毎の病状に対応する測定結果の判定ができないために、適切な処置が遅れる場合もあった。
【０００９】
この発明は上記の問題点に鑑みてなされたもので、測定データの転記または入力のミス防止、および手間作業を廃し、看護業務の省力化を図ると共に、対象患者の過去のデータを参照して患者状況の把握が容易な、患者データ採取管理システムを提供することを目的とする。
【００１０】
【課題を解決するための手段】
本発明の患者データ採取管理システムは、バイタルデータの測定を担当するデータ採取者を確認する第１の確認手段と、前記測定の対象となる患者を確認する第２の確認手段と、予め設定した複数のバイタルデータ測定項目の少なくとも１つ以上を指定する第１の指示手段と、前記第２の確認手段により確認した前記患者に装着され、前記第１の指示手段により指定した測定実施項目を測定する測定手段と、この測定手段から得られた測定データを読み込み、一時保持するデータ取得手段と、このデータ取得手段に一時保持された前記測定データが、基準範囲内にあるか否かを判定する測定データ判定手段と、この測定データ判定手段の判定結果を前記測定データと共に表示するデータ判定表示手段と、前記データ判定表示手段により表示された前記測定データの記録を指示した場合に、前記患者の以前の測定データが記録されるデータ記憶装置を有するデータ蓄積サーバー、前記測定データの転送・記録を指示する第２の指示手段並びにコードリーダ有するモバイルコンピュータによるデータ管理端末装置とを具備することを特徴とするものである。
【００１１】
さらに、本発明の患者データ採取管理システムは、前記第１および第２の確認手段が、前記コードリーダにより、データ採取者または患者に装着されているＩＤコードを読取り、前記データ蓄積サーバーに記録されたデータ採取者リストまたは患者リストに照会して確認するものであることを特徴とするものである。
【００１２】
さらに、本発明の患者データ採取管理システムは、前記予め設定した複数のバイタルデータ測定項目に、体温、最高血圧、最低血圧、脈拍数、呼吸数の少なくとも１つが含まれ、バイタルデータ測定項目は前記データ管理端末装置の記憶手段に設定されることを特徴とするものである。
【００１３】
さらに、本発明の患者データ採取管理システムは、前記予め設定した複数のバイタルデータ測定項目が、前記第２の確認手段により確認した前記患者の病状に基づき、前記データ記憶サーバーに患者毎に測定項目が設定され、これを前記データ管理端末装置が読み出して設定されることを特徴とするものである。
【００１４】
さらに、本発明の患者データ採取管理システムは、前記予め設定した基準範囲が、患者の如何を問わず医学的見地より正常と判断する値の範囲が設定されることを特徴とするものである。
【００１５】
さらに、本発明の患者データ採取管理システムは、前記予め設定した基準範囲が、前記第２の確認手段により確認した前記患者の病状に基づき、前記データ記憶サーバーに患者毎に基準範囲が設定され、これを前記データ管理端末装置が読み出して設定されることを特徴とするものである。
【００１６】
さらに、本発明の患者データ採取管理システムは、前記第２の指示手段において、記録が指示された場合に、前記患者の以前の測定データが記録されるデータ蓄積サーバーのデータ記憶装置に転送・記録するデータが、前記測定データ、データ測定日・時・分、およびデータ採取者の各データであることを特徴とするものである。
【００１７】
さらに、本発明の患者データ採取管理システムは、前記第２の指示手段において、前記測定データの記録を指示しない場合に、測定実施項目に対し、測定の再度実施、あるいは測定データ廃棄のいずれかを指示する第３の指示手段を設けたことを特徴とするものである。
【００１８】
さらに、本発明の患者データ採取管理システムは、前記第２の確認手段により確認した前記患者のデータ蓄積サーバーに記録された以前の測定データを、前記データ管理端末装置が時系列を遡って読み出し、横軸を経過時間とした既測定データのトレンドグラフ表示手段が前記データ管理端末装置に具備されたことを特徴とするものである。
【００１９】
また、本発明の患者データ採取管理方法は、バイタルデータの測定を担当するデータ採取者を確認する採取者判定ステップと、前記測定の対象となる患者を確認する患者判定ステップと、予め設定した測定の項目を表示し、測定実施項目を指定する測定指示ステップと、前記測定実施項目に関わる、前記患者に装着された測定機器から測定データを取り込むデータ取得ステップと、この取り込まれた測定データを基準値と比較判定する第１の測定データ判定ステップと、前記取り込まれた測定データと前記第１の測定データ判定ステップの結果を共に表示する測定データ表示ステップと、この測定データ表示ステップにより表示された前記測定データを、「データ記録」あるいは「再測定またはデータ廃棄」のいずれかの処理を選択する第２の測定データ判定ステップと、この第２の測定データ判定ステップで、「データ記録」が選択された場合に、前記測定データをＬＡＮ接続したデータ蓄積サーバーに転送し、前記患者の以前の測定データが記録されている記憶場所に追加記録する転送記録ステップと、一方、前記第２の測定データ判定ステップで、「再測定またはデータ廃棄」が選択された場合に、「再測定」あるいは「データ廃棄」のいずれかの処理を選択する第３の測定データ判定ステップと、この第３の測定データ判定ステップで、「再測定」が選択された場合に、前記測定指示ステップに戻り、測定実施項目を再指定する再測定指示ステップと、一方、前記第３の測定データ判定ステップで、「データ廃棄」が選択された場合に、前記測定データを廃棄するデータ廃棄ステップとからなることを特徴とするものである。
【００２０】
【発明の実施の形態】
以下、本発明の実施形態を図面により詳細に説明する。
【００２１】
図１は、本発明の患者データ採取管理システムの構成を示す図である。
【００２２】
本実施形態の概略の構成は、データ採取の対象となる患者のベッドサイドにデータ採取者が携行するバイタルデータ管理端末１４およびバイタルデータ測定器１５と、採取したデータがＬＡＮ接続により転送され、記録される病院のデータセンターに設置されたデータ蓄積サーバー１７とからなる。
【００２３】
さらに詳しくは、バイタルデータの測定が行われるベッドサイドにおいて、データ採取者を識別する採取者ＩＤコード１１が記された名札等をデータ採取者は所持し、患者は、バイタルデータ採取対象患者の識別する患者ＩＤコード１２が記されたリストバンドなどを装着している。データ採取者が携行するバイタルデータ管理端末１４は、これらのＩＤコードを読取るコードリーダ１３を具備する。なお、このＩＤコードには、情報量が多く、汚れにも安定な二次元バーコードが好適であり、使用される。
【００２４】
また、バイタルデータ管理端末１４は、ケーブル接続あるいは赤外線や電波などの無線方式通信手段１８ａ、１８ｂを備えて、センサがデータ採取対象の患者に装着され、体温、血圧、心拍数、呼吸数などのバイタルデータを測定するバイタルデータ測定機器１５との間で測定データを送受信する。
【００２５】
バイタルデータ管理端末１４がＬＡＮ接続するデータ蓄積サーバー１７には記憶装置１６を備え、患者毎の過去の測定データを含む種々のデータが記憶されており、データ採取を許可されたデータ採取者のＩＤコード、測定対象となる患者のＩＤコード、および個々の患者に関する種々のデータを記録保存する。
【００２６】
なお、バイタルデータ管理端末１４とデータ蓄積サーバー１７とのＬＡＮ接続においても、ケーブル接続より好適である無線ＬＡＮ接続をする無線ＬＡＮ送受信手段１９ａ、１９ｂをそれぞれに備える。
【００２７】
次に、本実施形態の作用、動作を図２に示すバイタルデータ測定のフロー図を用いて説明する。
【００２８】
図２は、バイタルデータの測定対象となる一人の患者の本実施形態による測定の手順を示す。
【００２９】
先ず、ステップＳ２１で、名札などに記された採取者ＩＤコード１１を、バイタルデータ管理端末１４に備えるコードリーダ１３で読取る。
【００３０】
読み取られたＩＤコードは、ステップＳ２２で、バイタルデータ管理端末１４からＬＡＮ接続を介し、データ蓄積サーバー１７に照会される。この照会は、データ蓄積サーバー１７の記憶装置１６に記録保存されている登録データの採取者登録リスト１６ａに、このＩＤコードが採取者として登録済みであるかを判定する。ここで登録済みを確認すれば、このＩＤコードがこれから行われる測定の「データ採取者」として記録される。さらに、次のステップＳ２３のために、「患者ＩＤコード入力」をバイタルデータ管理端末１４の表示部１４ａに表示する。
【００３１】
一方、ＩＤコードの登録が確認できない場合は、「採取者ＩＤ再度読取り」の表示をし、ステップＳ２１へ戻す。
【００３２】
次に、ステップＳ２３で、測定対象の患者が装着しているリストバンドなどに記された患者ＩＤコード１２を、同じくコードリーダ１３で読み取る。読み取られた患者ＩＤ識別コードは、ステップＳ２４で、記憶装置１６に記録保存されている登録データの被測定患者リスト１６ｂに問い合せる。登録済みの患者であることを確認すれば、次のステップＳ２５へ進める。
【００３３】
一方、患者ＩＤコードが被測定患者リスト１６ｂに登録されていない場合は、ステップＳ２３に戻し再度読み込の要求を表示する。
【００３４】
ステップＳ２５では、これから行うデータ測定の途中で、患者の過去の状況を随時照会、参照するために、データ蓄積サーバー１７の被測定者過去データ１６ｃに記録された患者の測定データと一次判定基準、データしきい値、トレンド変化基準値などの判定基準データ１６ｅを読み込み、バイタルデータ管理端末１４のＲＡＭに一時記憶する。この一時記憶されたデータは、これ以降に、「トレンドデータ表示」の指示により、随時表示参照することができる。
【００３５】
その後、バイタルデータ管理端末１４にデフォルトで登録され、通常の測定対象である体温、血圧、心拍数、呼吸数など「測定項目」を表示部１４ａに表示する。
【００３６】
データ採取者は、表示された患者の「測定の項目」の表示を見て、表示された項目に対応する測定機器１５のセンサを患者の測定部位に装着し、測定の準備をする。
【００３７】
次に、ステップＳ２６で、データ採取者は、この準備ができた測定項目を選択・指定して、測定を開始する「測定」を、バイタルデータ管理端末１４から指示する。
【００３８】
「測定」を指示されたバイタルデータ管理端末１４は、ステップＳ２７で、無線通信方式で接続した測定機器１５から測定結果である測定データを読み込む。
【００３９】
ステップＳ２８で、この読み込まれた測定結果を、バイタルデータ管理端末１４に一時記憶してある一次判定基準、データしきい値、トレンド変化基準値などの判定基準データ１６ｅと比較し、一次判定を行う。各測定項目は、この判定で基準外となった判定項目が、ステップＳ２８ａで、表示色を変えるまたは点滅するなどの視覚的識知できる表示処理を行う。
【００４０】
次に、ステップＳ２９で、ステップＳ２７で読み込まれた各測定項目毎に、測定データ、及びステップＳ２８の一次判定結果、すなわち、各判定項目の判定基準範囲とその合否がステップＳ２８ａによる表示処理で、表示部１４ａに表示される。
【００４１】
医療従事者としての知識と経験を有するデータ採取者は、ステップＳ２９ａで、先のステップＳ２５で読み込んだ過去データを表示部１４ａに併せて表示する。
【００４２】
ステップＳ３０で、この過去データを参考にして、表示されている一次判定の判定結果を、医学的な基準で総合的に「是」または「否」の何れか二次判定する。
【００４３】
ステップＳ３０の二次判定で、ステップＳ２８の一次判定で合格した測定項目を含み「是」と判定した測定項目のデータは、この測定結果に測定日、測定時刻および採取者ＩＤデータを付加し、ステップＳ３１でＬＡＮ接続を介してデータ蓄積サーバー１７へ測定結果データとして送信し、記憶装置１６の当該患者の過去データ領域１６ｃに追加して記録保存する。
【００４４】
一方、ステップＳ３０の二次判定で、「否」と判定した測定項目は、ステップＳ３２で再測定の要・否をデータ採取者が再判定、指示する。
【００４５】
「再測定を要す」と判定した場合は、「再測定」を指示して、ステップＳ２６に戻り、測定項目を再選択して、測定の手順を再度開始する。
【００４６】
「否」と判定し再測定を行わない場合は、この項目の測定データを廃棄して、「記録無し」を患者の過去データ領域１６ｃに記録する。
【００４７】
ステップＳ３３では、患者の測定において、未測定の項目が有れば、ステップＳ２６へ戻り、測定を追加し、無ければこの患者の測定を終了する。
【００４８】
以上により、患者に対する予め設定したバイタルデータの一連の測定が行われ、測定結果がデータ蓄積サーバー１７に備える記憶装置１６に記録される。
【００４９】
さらに測定対象の患者がいる場合には、新しい患者に対し、ステップＳ２１から始める。
【００５０】
本実施形態によれば、患者から採取する体温、血圧、心拍数、呼吸数などのバイタルデータの測定において、先ず、ＩＤコードによりデータ採取者が適正な採取者であることが確認され、被測定患者も患者が装着しているリストバンドに記されたＩＤコードにより特定し、測定対象患者であることを確認した後、測定が実施される。
【００５１】
さらに、測定機器が出力する測定結果を、データ採取者が読取り、記入などの行為を行わずに、データ処理するバイタルデータ管理端末に直接取り込み、予め設定した判定値、しきい値などによる一次判定が行われる。また、看護師が医学知識を基に二次判定を行って、問題がないと判定された測定結果データが、バイタルデータ管理端末からデータ管理サーバーのデータ記憶部に、ＬＡＮ回線で直接送信され、記録される。
【００５２】
したがって、本実施形態によるバイタルデータの採取は、データ採取担当者の読取り、転記などの人為的ミスを犯す作業が行われずに、測定データを記録することができる。また、測定対象の患者やデータ採取を行った担当者をデータ測定時に確認、特定し、測定データが採取、記録されるので、非常に信頼性の高いバイタルデータの記録を得ることが可能となり、患者を診断するための重要な情報を提供できる効果がある。
【００５３】
また、識別コードの照会及びデータの記録が、対象となる患者のベッドサイドで無線通信やＬＡＮ転送で実施され、完了するので、採取作業の効率向上と省力化を図る利点もある。
【００５４】
なお、以上の説明では、ステップＳ２６で表示するバイタルデータ管理端末１４にデフォルトで予め設定登録された測定項目は、一般的な患者に対する標準的に設定した体温、血圧、心拍数、呼吸数などであり、データ採取者が順次測定項目を選択して、当該の患者の測定を進める場合を示した。
【００５５】
ところで、重症患者病棟に収容するまでもないが、病歴や病状により特別の対応を要する特定の患者に、上述の標準的に設定した体温、血圧、心拍数、呼吸数など以外の測定項目を特別に設定した場合や、一次判定において特別の判定基準による判定が必要な場合には、上述の実施形態の一部を変更して、これ等に対応することができる。
【００５６】
すなわち、この特定の患者に対する特別の対応は、先ず、ステップＳ２５において、バイタルデータ管理端末１４からＬＡＮ接続を介し、データ蓄積サーバー１７の測定項目リスト１６ｄに対し、先のステップＳ２４で確認したＩＤコードの患者に関する特別測定項目の設定がされていないかを確認する。設定がない場合には、バイタルデータ管理端末１４にデフォルトで予め設定登録される測定項目が表示され、設定がある場合は、その設定された測定項目が、ＬＡＮ接続を介して読み出され、バイタルデータ管理端末１４にデフォルトで予め設定登録される測定項目と併せて表示され、ステップＳ２６の選択項目とする。
【００５７】
また、一次判定基準などが特別に設置される場合も、ステップＳ２５において、当該患者に対し特別の基準が設定されていないか、バイタルデータ管理端末１４からＬＡＮ接続を介し、データ蓄積サーバー１７の基準値・しきい値リスト１６ｅに確認する。当該患者のために設定された判定基準データが登録されている場合は、ＬＡＮ接続を経由し、そのデータを参照してステップＳ２８で判定する。設定されたデータがない場合には、バイタルデータ管理端末１４にデフォルトで予め設定されている一般的な判定に基準により判定される。
【００５８】
また、医学的見地から測定が必須の項目が設定されている場合には、前述のステップＳ２５で測定項目リスト１６ｄに対し行われる特別測定項目の問合せ時に、この必須の測定項目に関するデータがＬＡＮ接続を介し読み出される。このデータは、ステップＳ２６の測定項目選択において、採取担当者の認識を高めるために、点滅表示または表示色を変えるなどの強調した表示をすることも行われる。
【００５９】
これ等、上述の実施形態を一部変更して、一部の患者に対し、特別の項目や判定を行なうバイタルデータ採取を行なう場合も、本発明の目的とする患者のバイタルデータの採取におけるミスの防止と共に、データ採取業務の効率向上を図る信頼性の高いバイタルデータ採取ができることは言うまでもない。
【００６０】
本実施形態のバイタルデータ管理端末１４は、患者ＩＤの読取り後に、当該患者の過去のバイタルデータをＬＡＮ接続を介し、データ蓄積サーバー１７から読込んで、ＲＡＭに記憶する。このＲＡＭに記憶したデータを随時呼出して、過去の測定データがバイタルデータ管理端末１４の表示部１４ａに表示することができるので、データ採取以外に回診時に携行して、患者の過去の状況を手許で即座に表示し、診断の参考にすることもできる簡易カルテの機能を有する利点もある。
【００６１】
【発明の効果】
本発明の患者データ採取管理システムによれば、データ採取者及び対象患者を照会確認し、測定値は予め設定した判定基準とデータ採取者の医療対応経験に基づいて２度の判定処理を経て、測定結果がデータ記憶サーバーに転送されて記憶される。したがって、本発明の患者データ採取管理システムは、採取した測定データの転記ミスや入力ミスを防止し、信頼性を高くするデータが直接転送され看護業務の省力化を図る、また、過去のデータを参照して患者の状況を容易に把握できる効果がある。
【図面の簡単な説明】
【図１】本発明の一実施形態のシステム構成図。
【図２】本発明の一実施形態の患者のバイタルデータ採取のフロー図。
【符号の説明】
１１・・・採取者ＩＤコード、
１２・・・患者ＩＤコード、
１３・・・コードリーダー、
１４・・・バイタルデータ管理端末、
１４ａ・・・表示部、
１４ｂ・・・操作キー部、
１５・・・バイタルデータ測定機器、
１６・・・データ記憶装置、
１７・・・データ蓄積サーバー、
１８ａ，１８ｂ・・・バイタルデータ送受信機、
１９ａ、１９ｂ・・・無線ＬＡＮ送受信機。
【図１】
2004351063.tif 000003
【図２】
2004351063.tif 000004